(57)【要約】【課題】屋根勾配や鼻隠しの傾きの程度にかかわりなく、簡易な作業手順で軒樋を鼻隠しに沿って取り付けることができるようにする。【解決手段】両側に縁部を内折れさせた係合部（２３、２４）を設けてなる断面略半円形の軒樋（２）と、鼻隠し（１）に接合する基部（３１）の上部に前方へ突出した前側支持片（３２）、下部に後方へ突出した後側支持片（３３）を設けてなる樋支持具（３）を備え、鼻隠し（１）に基部（３１）を接合させて樋支持具（３）を固定し、鼻隠し（１）の前方へ突出した前側支持片（３２）と鼻隠しの下側で後方へ突出した後側支持片（３３）とに軒樋両側の係合部（２３、２４）を係合して軒樋（２）を支持させる。【選択図】図１
2008057110.tif 000002
【特許請求の範囲】
【請求項１】
両側に縁部を内折れさせた係合部を設けてなる断面略半円形の軒樋と、
鼻隠しに接合する基部の上部に前方へ突出した前側支持片、下部に後方へ突出した後側支持片を設けてなる樋支持具を備え、
鼻隠しに基部を接合させて樋支持具を固定し、鼻隠しの前方へ突出した樋支持具の前側支持片と鼻隠しの下側で後方へ突出した樋支持具の後側支持片とに前記軒樋両側の係合部を係合し樋支持具で軒樋を支持させることを特徴とする軒樋の取り付け構造。
【発明の詳細な説明】
【技術分野】
【０００１】
本発明は、傾斜した鼻隠しに沿って軒樋を取り付ける構造に関する。
【背景技術】
【０００２】
図６に示されるように、鼻隠し１００が野地板１０１に対しては直交し鉛直面とは傾斜する向きで取り付けられた屋根の軒先に軒樋を取り付ける場合に、屋根勾配や鼻隠し１００の傾斜角度に応じて、軒樋を支持する角度を調節することのできる樋支持具が用いられている。
【０００３】
角度調節機能を備えた従来の樋支持具としては、例えば図７（Ａ）に示されるように、鼻隠し１００に固定される基部１０２と軒樋１０５の底面を支持する樋受け部１０３からなり、基部１０２のフランジ１０２ａに沿って樋受け部１０３をネジ留めして一体に取り付け、ネジ留めする位置をフランジ１０２ａに沿って適宜に選択することで樋受け部１０３で支持する軒樋１０５の角度を調節する構成のものや、同図（Ｂ）に示されるように、鼻隠し１００に固定される基部１０２と軒樋１０５の両耳部を支持する樋受け部１０３と両部に係止する突起を備えた取付部１０４とからなり、樋受け部１０３の一端を取付部１０４を介して基部１０２に取り付けるとともに、取付部１０４と基部１０２との係止部を軸として樋受け部１０３を回動し、樋受け部１０３の角度を調節してその他端を基部１０２に係合することで軒樋１０５を支持する角度を調整する構成のものなどが知られている（例えば特許文献１、２参照）。
【０００４】
【特許文献１】特開２００３−１３５７０号公報
【特許文献２】特許第３４９６７７７号公報
【発明の開示】
【発明が解決しようとする課題】
【０００５】
支持角度調節機能を備えた従来の樋支持具は、何れのものも、鼻隠し１００に固定される基部１０２と軒樋１０５を支持する樋受け部１０３が別体に構成されており、基部１０２と樋受け部１０３を一体に構成したものはなかった。そして、角度調節をせずに軒樋を取り付ける場合には樋支持具を鼻隠しに取り付けた後直ちに軒樋を装着することができるのに対し、前記樋支持具を用いた軒樋の取り付けは、先ず鼻隠し１００に基部１０２を固定し、次いで取り付け角度を調節して樋受け部１０３を基部１０２に取り付け、その後樋受け部１０３に軒樋１０５を装着し支持させる手順により行わなければならず、基部１０２と樋受け部１０４とをそれぞれ個別に角度調節して取り付ける作業に手間を要するものであった。
【０００６】
本発明は従来技術の有するこのような問題点に鑑み、屋根勾配や鼻隠しの傾きの程度にかかわりなく、簡易な作業手順で軒樋を鼻隠しに沿って取り付けることができるようにすることを課題とする。
【課題を解決するための手段】
【０００７】
前記課題を解決するため本発明の軒樋の取り付け構造は、両側に縁部を内折れさせた係合部を設けてなる断面略半円形の軒樋と、鼻隠しに接合する基部の上部に前方へ突出した前側支持片、下部に後方へ突出した後側支持片を設けてなる樋支持具を備え、鼻隠しに基部を接合させて樋支持具を固定し、鼻隠しの前方へ突出した樋支持具の前側支持片と鼻隠しの下側で後方へ突出した樋支持具の後側支持片とに前記軒樋両側の係合部を係合し樋支持具で軒樋を支持させることを特徴とする。
【０００８】
これによれば、樋支持具は基部の上部に前側支持片、下部に後側支持片を設けて形成されており、傾斜した鼻隠しに基部を固定すると、前側支持片は鼻隠しの前方へ、後側支持片は鼻隠しの後方へそれぞれ張り出して、鼻隠しの前後に両支持片の先端部が略水平に配置され、前後支持片に軒樋両側の係合部を係合させると軒樋は略水平に支持される。
鼻隠しの傾きに対応して樋支持具の前後支持片も傾き、これに支持される軒樋も傾くが、軒樋は断面略半円形に形成されているので、軒樋が傾いているかは外側からは目に付かず、また、軒樋の内径を十分に大きくとることで傾いたままでも雨水の流水容量を確保することが可能である。
また、樋支持具も、軒樋両側の係合部に軒樋の内側から前後支持片を係合させて軒樋を支持するので、地上から軒先を見上げたときに軒樋に隠れて目に付かず、軒先を綺麗な外観のものに収めることができる。
【発明を実施するための最良の形態】
【０００９】
本発明の好適な一実施形態を図面を参照して説明する。
図１は本発明の一実施形態を示し、軒樋を樋支持具で鼻隠しに取り付けた状態の軒先の断面図、図２は図１の樋支持具の外観図、図３は図１の軒樋、樋継手、鼻隠し板及び水切り板の要部外観図、図４は樋接続管の外観図とこれを樋継手に接続した状態の接続部の拡大切断端面図、図５は図１の軒樋を傾きの異なる鼻隠しに取り付けた状態の軒先の断面図である。
【００１０】
本発明は屋根の軒先に傾斜させて取り付けられた鼻隠しに軒樋を取り付ける構造のものである。図１に示した形態は１／３勾配の屋根に本発明を適用したものであり、鼻隠し１に樋支持具３を固定し、この樋支持具３の前後支持片３２、３３に軒樋２の両側を係合させて鼻隠し１に沿って軒樋２を支持し、また、軒樋２同士は樋継手２ａで接続し、さらに樋継手２ａに形成された排水口２５に樋接続管４の一端を接続し、樋接続管４の他端を呼び樋５に接続して構成してある。図中、符号６は鼻隠し板、７は水切り板、８は野地板、９は軒天井である。
【００１１】
軒樋２は、例えば表面を塩化ビニル樹脂で覆うなどの耐蝕加工が施された、或いは耐蝕性を有する長尺の鋼板を板金加工により、断面略半円形に湾曲させて形成してある。
より詳しくは、図３に示されるように、軒樋２は一定の半径（Ｒ）で周面２１を半円形に湾曲させてなり、その前側端部に、弓形に湾曲して前方へ突出した突部２２を設けるとともに当該突部の先端を樋内方へ折り返し、且つその縁部に下折れ部を介して上方へ折り返した鉤状の係合部２３を設け、また、後側端部には、縁部を樋内方へ折り返した係合部２４を設けて形成してある。軒樋２は、軒先に隣接並置した他の軒樋２と端部同士を樋継手２ａの両端に接続して一体に連結するようになっている。
【００１２】
樋継手２ａは、軒樋２、２同士を接続するものであって、軒樋２よりも短い帯状の鋼板を軒樋２と同じ形状に折り曲げて形成されており、その両端部の内側又は外側に軒樋２の端部を嵌合接続できるようになっている。この継手２ａの後部側の周面２１には排水口２５が形成してあり、この排水口２５の両側の外周面に沿って、後述する樋接続管４の端部が係合接続する係合片２６、２６を一体に設けてある。
【００１３】
樋支持具３は、ポリカーボネートなどの合成樹脂材を用い、射出成形により、鼻隠し１に接合する基部３１に、軒樋２の両側を支持する前側支持片３２と後側支持片３３を一体に設けて形成してある。
より詳しくは、図２に示されるように、基部３１は鼻隠し１の上下端部間よりも上下が長い板状をなし、その前面上部から前側支持片３２を前方へ突出させるとともに、その下端部に後方へ折れ曲がって突出した後側支持片３３を設けてある。基部３１にはビスや釘などの固着具１０が挿通する通孔３１ａ、３１ａを形成してあり、また、後側支持片３３の上方に位置する基部３１の後面には鼻隠し１の下面に接合する係合片３４を垂直に突出させてある。
前側支持片３２は、基部３１と直交して前方へ適宜な長さで突出していて、先端に軒樋２と同じ半径（Ｒ）で上下に弓形に湾曲した湾曲部３２ａを一体に設けて形成してある。また、後側支持片３３は、基部３１の下端部から軒樋２と同じ半径（Ｒ）で上方へ弓形に湾曲させて形成してある。前側支持片３２の湾曲部３２ａの上端と後側支持片３３の湾曲した部分の上端は、軒樋２の係合部２３、２４がそれぞれ係合し得るように、ともに上方へ適宜な長さ突出させてある。また、前後支持片３２、３３の端部間は、軒樋２の直径（半径Ｒ×２）に相当する大きさの幅となるように寸法設定してある。
【００１４】
樋接続管４は、軒樋２と同様に耐蝕鋼板を板金加工して、一端が樋継手２ａの排水口２５、他端が呼び樋５にそれぞれ接続するように形成された管体であり、図４（Ａ）に示されるように、樋継手２ａの排水口２５と接続する側の端部は樋継手２ａの外周面に沿って湾曲させ、且つ開口の周囲にフランジ４１を一体に設けて形成してある。このフランジ４１は、同図（Ｂ）に示されるように、樋接続管４を樋継手２ａの排水口２５に接続する際に排水口２５の両側に設けた係合片２６、２６に係合接続し、樋接続管４の端部を樋継手２ａの排水口２５に密着接合させて固定するように設けてある。
【００１５】
また、図３に示されるように、鼻隠し板６は、鼻隠し１の全面を覆う上下幅（高さ）を有し、その上端を前方へ屈曲し、下端を鼻隠し１の下面に沿って後方へ折り曲げるとともに縁部を鼻隠し１の下面と直交して下方へ突出させた形状に設けてある。水切り板７は、鼻隠し１の上面と軒側の野地板８の上面を覆う幅を有し、棟側の端部を小幅だけ折り返し、軒側の端部を下方へ折り曲げるとともに縁部を上方へ折り返した形状に設けてある。
【００１６】
本形態の軒樋の取り付け構造は、これらの部材により構成されており、以下の作業手順により鼻隠し１に軒樋２を取り付けることができる。
先ず、鼻隠し１の表面に予め鼻隠し板６を取り付けておく。なお、鼻隠し板６を取り付けたならば、図１に示されるように、水切り板７の先端を鼻隠し板６の上端に係合させて屋根の先端に固定し、屋根上面を造作する。
【００１７】
屋根上面の造作完了後、鼻隠し板６の表面に樋支持具３の基部３１を接合してあてがい、挿通孔３１ａ、３１ａに固着具１０を通し、これを鼻隠し１に打ち込んで樋支持具３を鼻隠し１に固定する。この際、樋支持具３の係合片３４は、鼻隠し板６を挟んで鼻隠し１の下面に係合させておく。
鼻隠し１に固定された樋支持具３は、その前側支持片３２が鼻隠し１の前方で斜め下向きに突出し、後側支持片３３が鼻隠し１の下側で湾曲しながら後方へ突出する。なお、樋支持具３は、鼻隠し１に沿って複数個を所定の間隔を開けて固定しておく。
【００１８】
次いで、鼻隠し１に固定した樋支持具３に軒樋２を装着する。
軒樋２の装着は、鼻隠し１の側端部から軒樋２を鼻隠し１の前面側へスライドさせながら行うようにしても、鼻隠し１の前面側で各樋支持具３の下側から軒樋２を撓ませつつ被せて行うようにしても何れでもよい。軒樋２は樋継手２ａを介して接続する。
樋支持具３に装着した軒樋２は、図１に示されるように、その前後内周面に前側支持片３２の湾曲部３２ａと後側支持片３３の湾曲した部分が接合し、その前側の係合部２３が鼻隠し１の前方で前側支持片３２の端部に係合して支持され、また、その後側の係合部２４が鼻隠し１の下側で後側支持片３３の端部に係合して支持される。
【００１９】
軒樋２を樋支持具３に支持させて鼻隠し１に沿って取り付けたならば、軒天井９の下側において樋継手２ａの排水口２５に樋接続管４の端部を接続し、当該樋接続管の他端部を呼び樋５に接続することにより軒先周りの造作が完了する。
【００２０】
図５は、前記軒樋２と樋支持具３を用いて勾配の異なる屋根に軒樋２を取り付けた状態を示している。図示した屋根の勾配は、同図（Ａ）が１／２、同図（Ｂ）が２／３である。
このように、屋根勾配に応じて鼻隠し１の傾きが異なっていても、樋支持具３を傾斜した鼻隠し１に取り付けて、前後支持片３２、３３を鼻隠し１の前方と下側に張り出させ、両支持片に軒樋２の前後係合部２３、２４を係合させて支持することにより、鼻隠し１の下側で軒樋２を略水平な向きに取り付けることができる。なお、屋根勾配に応じて軒樋２も僅かに傾斜し、この傾斜に応じて軒樋２及び樋継手２ａと軒接続管４の接続角度も変化する。
本発明では、一体成形の樋支持具３を用いているので、軒樋３を支持する角度調整作業は不要であり、また、樋支持具３は軒樋２の内側から係合して支持しているので、軒樋２の外側からは樋支持具３が目に付かず、軒先を綺麗な外観のものに収めることが可能である。
【００２１】
なお、図示した軒樋２や樋支持具３の形状は一例であり、これらは軒樋を取り付ける屋根の形状や外観デザイン、必要とされる雨水の流入容量などに応じて適宜な形状に形成することが可能である。
【図面の簡単な説明】
【００２２】
【図１】本発明の一実施形態の軒樋の取り付け構造によって軒樋を取り付けた状態の軒先の断面図である。
【図２】図１の樋支持具の外観図である。
【図３】図１の軒樋、樋継手、鼻隠し板及び水切り板の要部外観図である。
【図４】樋接続管の一形態の外観図と軒樋に接続した状態の接続部の拡大切断端面図である。
【図５】（Ａ）、（Ｂ）は図１の軒樋を傾きの異なる屋根に取り付けた状態の軒先の断面図である。
【図６】鼻隠しを傾斜させて取り付けた屋根の軒先部分の外観図である。
【図７】（Ａ）、（Ｂ）は傾斜した鼻隠しに取り付けられる従来の軒樋と樋支持具の構成を示した図である。
【符号の説明】
【００２３】
１  鼻隠し、２  軒樋、２３、２４  係合部、２ａ  樋継手、３  樋支持具、３１  基部、３２  前側支持片、３３  後側支持片、４  樋接続管、５  呼び樋、６  鼻隠し板、７  水切り板、８  野地板、９  軒天井、１０  固着具
【図１】
2008057110.tif 000003
【図２】
2008057110.tif 000004
【図３】
2008057110.tif 000005
【図４】
2008057110.tif 000006
【図５】
2008057110.tif 000007
【図６】
2008057110.tif 000008
【図７】
2008057110.tif 000009